(57)【要約】【課題】本発明は、一対のスピーカを筐体に簡単に固定できるとともに、筐体内のスペースを有効に利用できる電子機器を得ることにある。【解決手段】電子機器(1)は、支持壁(10)を有する筐体(8)と、筐体(8)に収容された一対のスピーカ(21,22)とを備えている。スピーカ(21,22)は、一対のスピーカホルダ(26)に支持されている。スピーカホルダ(26)は、フレーム(33)によって互いに連結されている。筐体(8)は、スピーカ(21,22)に対応するように筐体(8)の支持壁(10)から突出する一対のボス部(50,51)を有し、スピーカホルダ(26)は個々にボス(50,51)に固定されている。【選択図】      図２
2006332960.tif 000002
【特許請求の範囲】
【請求項１】
支持壁を有する筐体と、
上記筐体に収容される一対のスピーカと、
上記スピーカを個々に保持する一対のスピーカホルダと、
上記スピーカホルダの間に跨るとともに、これらスピーカホルダを互いに連結するフレームと、
上記スピーカに対応するように上記筐体の支持壁から突出するとともに、上記スピーカホルダが固定される一対のボス部と、を具備したことを特徴とする電子機器。
【請求項２】
請求項１の記載において、上記フレームは、上記スピーカホルダに重なり合う端部を有し、この端部が上記スピーカホルダに第１のねじを介して固定されるとともに、上記フレームの端部と上記スピーカホルダとは、上記第１のねじから離れた位置で互いに係合し合うことを特徴とする電子機器。
【請求項３】
請求項２の記載において、上記フレームの端部は、上記第１のねじから離れた位置に係合孔を有するとともに、上記スピーカホルダは、上記係合孔に取り外し可能に嵌まり込む係合突起を有することを特徴とする電子機器。
【請求項４】
請求項２の記載において、上記フレームの端部は、上記スピーカホルダと一緒に上記ボス部に第２のねじを介して固定されることを特徴とする電子機器。
【請求項５】
請求項１ないし請求項４のいずれかの記載において、上記フレームは金属製であることを特徴とする電子機器。
【請求項６】
機器本体と、この機器本体に支持された表示ユニットとを有する電子機器であって、
上記表示ユニットは、
支持壁を有する筐体と、
上記筐体に収容される一対のスピーカと、
上記スピーカを個々に保持する一対のスピーカホルダと、
上記スピーカホルダの間に跨るとともに、これらスピーカホルダを互いに連結するフレームと、
上記スピーカに対応するように上記筐体の支持壁から突出するとともに、上記スピーカホルダが固定される一対のボス部と、を具備したことを特徴とする電子機器。
【請求項７】
請求項６の記載において、上記表示ユニットは、上記筐体に収容される表示パネルと、上記表示パネルに電気的に接続された回路モジュールとを有し、上記スピーカは上記筐体の内部で互いに離れているとともに、上記回路モジュールは上記スピーカの間に位置することを特徴とする電子機器。
【請求項８】
請求項７の記載において、上記表示ユニットの筐体は、一対のヒンジ装置を介して上記機器本体に支持され、上記表示ユニットは、上記機器本体の上に横たわる閉じ位置と上記機器本体に対し起立する開き位置との間で回動可能であることを特徴とする電子機器。
【請求項９】
請求項８の記載において、上記ヒンジ装置は、上記スピーカと隣り合う位置で上記筐体の支持壁に固定され、上記フレームは、金属製であるとともに上記スピーカホルダと一緒に上記筐体のボス部に固定されることを特徴とする電子機器。
【発明の詳細な説明】
【技術分野】
【０００１】
本発明は、筐体の内部に一対のスピーカを収容したポータブルコンピュータのような電子機器に係り、特にスピーカを筐体に固定するための構造に関する。
【背景技術】
【０００２】
最近のポータブルコンピュータは、CD-ROMドライブとDVD-ROMドライブを一体化したマルチドライブを搭載しており、一台で音楽CDに格納された音楽を再生したり、DVDに格納された映像を再生できるようになっている。
【０００３】
この種のポータブルコンピュータは、高品質なサウンドを再現する一対のスピーカを備えている。スピーカは、ポータブルコンピュータの筐体内に収容されるとともに、個々に筐体に固定されている。
【０００４】
具体的には、筐体は、放音孔が開口された一対のスピーカ支持部を有している。スピーカ支持部は、音響効果を高めるために筐体の幅方向に互いに離れている。夫々のスピーカ支持部は、筐体の内面から突出する複数のボス部を有している。
【０００５】
各スピーカは、スピーカホルダを介してスピーカ支持部に固定されている。スピーカホルダは、スピーカを保持する保持部と、筐体のボス部に対応する複数の舌片とを有している。舌片は、夫々ねじを介してボス部に固定されており、これにより、各スピーカが筐体のスピーカ支持部に個別に固定されている（例えば、特許文献１参照）。
【特許文献１】米国特許第６，１６０，７０１号明細書（図１０、図１１）
【発明の開示】
【発明が解決しようとする課題】
【０００６】
従来のポータブルコンピュータによると、一対のスピーカは、スピーカ支持部に固定する段階では互いにセパレートされており、個々にスピーカホルダを介してスピーカ支持部に固定されている。
【０００７】
しかしながら、このような構成によると、スピーカを一つ一つ手作業でスピーカ支持部に固定しなくてはならず、このスピーカの固定作業に手間を要する。
【０００８】
しかも、一つのスピーカは、複数のねじを介してスピーカ支持部に固定されるので、スピーカ支持部にねじを受ける複数のボス部を設けなくてはならない。この結果、スピーカの周囲に複数のボス部が点在することになり、このボス部が筐体内に他の部品や回路モジュールを収容する上で邪魔な存在となることがある。
【０００９】
本発明の目的は、一対のスピーカを筐体に簡単に固定することができ、しかも、一つのスピーカに対しボス部を一つとして筐体内のスペースを有効に利用できる電子機器を得ることにある。
【課題を解決するための手段】
【００１０】
上記目的を達成するため、本発明の一つの形態に係る電子機器は、  
支持壁を有する筐体と、上記筐体に収容される一対のスピーカとを備えている。上記スピーカは、一対のスピーカホルダによって支持されている。これらスピーカホルダは、スピーカホルダの間に跨るフレームによって互いに連結されている。上記筐体は、上記スピーカに対応するように上記筐体の支持壁から突出する一対のボス部を有し、上記スピーカホルダは個々にボスに固定されている。
【発明の効果】
【００１１】
本発明によれば、一対のスピーカを互いに連結した状態で筐体に固定することができ、スピーカの固定作業を簡単に行うことができる。しかも、一つのスピーカにつきボス部は一つで済むので、筐体内の限られたスペースを有効に活用することができる。
【発明を実施するための最良の形態】
【００１２】
以下本発明の実施の形態をポータブルコンピュータに適用した図面に基づいて説明する。
【００１３】
図１は、電子機器の一例であるポータブルコンピュータ１を開示している。ポータブルコンピュータ１は、機器本体２と表示ユニット３とを備えている。
【００１４】
機器本体２は、第１の筐体４を有している。第１の筐体４は、平坦な上面４ａを有する偏平な箱状であり、この上面４ａにキーボード５が支持されている。上面４ａの後端部に一対のディスプレイ支持部６ａ，６ｂが形成されている。ディスプレイ支持部６ａ，６ｂは、上面４ａから上向きに突出するとともに、第１の筐体４の幅方向に互いに離れている。
【００１５】
表示ユニット３は、第２の筐体８と液晶表示パネル９とを備えている。第２の筐体８は、支持壁としてのディスプレイカバー１０とディスプレイマスク１１とで構成されている。ディスプレイマスク１１は、ディスプレイカバー１０の前面を覆うとともに、矩形状の開口部１２を有している。ディスプレイマスク１０およびディスプレイマスク１１は、例えば合成樹脂材料で造られている。
【００１６】
液晶表示パネル９は、ディスプレイカバー１０の内面に固定されている。液晶表示パネル９は、画像を表示するスクリーン１３を有している。スクリーン１３は、ディスプレイマスク１１の開口部１２を通じて第２の筐体８の外方に露出している。
【００１７】
図２に示すように、第２の筐体８は、第１の筐体４の後端部に一対のヒンジ装置１４を介して支持されている。ヒンジ装置１４は、ポータブルコンピュータ１の幅方向に互いに離れている。各ヒンジ装置１４は、第１のブラケット１５、第２のブラケット１６およびヒンジ軸１７を備えている。
【００１８】
ヒンジ装置１４の第１のブラケット１５は、第１の筐体４の左端部および右端部に固定されるとともに、上記ディスプレイ支持部６ａ，６ｂで覆われている。第２のブラケット１６は、ディスプレイカバー１０の左端部および右端部の内面に固定されている。ヒンジ軸１７は、第１のブラケット１５と第２のブラケット１６との間を回動可能に連結している。ヒンジ装置１４のヒンジ軸１７は、ポータブルコンピュータ１の幅方向に沿って同軸状に配置されている。
【００１９】
そのため、表示ユニット３は、キーボード５を上方から覆うように機器本体２の上に横たわる閉じ位置と、キーボード５やスクリーン１３を露出させるように機器本体２から起立する開き位置との間で回動可能となっている。
【００２０】
図２ないし図４に示すように、表示ユニット３の第２の筐体８は、スピーカ収容部２０を有している。スピーカ収容部２０は、第２の筐体８の幅方向に沿って延びる細長い形状を有し、一対のヒンジ装置１４の間に位置している。そのため、スピーカ収容部２０は、表示ユニット３を開き位置に回動させた時に、液晶表示パネル９の下方に位置される。
【００２１】
第２の筐体８のスピーカ収容部２０は、左スピーカ２１および右スピーカ２２を収容している。左右のスピーカ２１，２２は、夫々振動板２４と、この振動板２４を取り囲むコーン２５とを有している。
【００２２】
左右のスピーカ２１，２２は、夫々合成樹脂製のスピーカホルダ２６に保持されている。スピーカホルダ２６は、その中央部に嵌合孔２７を有する平坦な板であり、この板は第２の筐体８の幅方向に細長い長方形状をなしている。スピーカ２１，２２は、その振動板２４およびコーン２５を嵌合孔２７に嵌め込むことでスピーカホルダ２６と一体化されている。
【００２３】
図８及び図１０に示すように、スピーカホルダ２６は、第１の挿通孔２８と舌片２９とを有している。第１の挿通孔２８は、スピーカホルダ２６の長手方向に沿う一端に位置している。舌片２９は、スピーカホルダ２６の長手方向に沿う他端からスピーカホルダ２６の側方に張り出している。
【００２４】
舌片２９は、一対の第２の挿通孔３０ａ，３０ｂと、一対の係合突起３１ａ，３１ｂとを有している。第２の挿通孔３０ａ，３０ｂは、第２の筐体８の幅方向に間隔を存して並んでいる。係合突起３１ａ，３１ｂは、舌片２９の付け根の部分に位置するとともに、舌片２９の裏面から突出している。
【００２５】
本実施形態の場合、左スピーカ２１を保持するスピーカホルダ２６と、右スピーカ２２を保持するスピーカホルダ２６とは、互いに共通の構成となっている。言い換えると、スピーカホルダ２６は、その向きを左右に反転させることで，左右のスピーカ２１，２２のいずれにも対応し得るようになっている。
【００２６】
このため、左スピーカ２１を保持するスピーカホルダ２６では、図８に示すように第１の挿通孔２８が左スピーカ２１の右側に位置するとともに、舌片２９が左スピーカ２１の左側に位置している。同様に、右スピーカ２２を保持するスピーカホルダ２６では、図１０に示すように第１の挿通孔２８が右スピーカ２２の左側に位置するとともに、舌片２９が右スピーカ２２の右側に位置している。
【００２７】
左右のスピーカホルダ２６は、金属製のフレーム３３を介して互いに連結されている。フレーム３３は、ステー３４と一対のブラケット３５，３６とを備えている。ステー３４は、第２の筐体８の幅方向に沿うように一直線状に延びている。ステー３４は、その長手方向に沿う一側縁に直角に折り返されたフランジ部３４ａを有している。このフランジ部３４ａの存在により、ステー３４の強度が確保されている。
【００２８】
ステー３４は、第１の端部３７ａと第２の端部３７ｂとを備えている。第１および第２の端部３７ａ，３７ｂは、ステー３４の長手方向に互いに離れている。第１の端部３７ａは、左スピーカ２１を保持するスピーカホルダ２６が重なり合う支持面３８と、この支持面３８に形成されたねじ孔３９とを有している。ねじ孔３９は、スピーカホルダ２６の第１の挿通孔２８と合致するようになっている。
【００２９】
同様に、第２の端部３７ｂは、右スピーカ２２を保持するスピーカホルダ２６が重なり合う支持面４０と、この支持面４０に形成されたねじ孔４１とを有している。ねじ孔４１は、スピーカホルダ２６の第１の挿通孔２８と合致するようになっている。
【００３０】
図８及び図９に示すように、一方のブラケット３５は、左側のスピーカホルダ２６の舌片２９の裏面に重なるようにステー３４の第１の端部３７ａに一体に形成されている。ブラケット３５は、一対の連通孔４３ａ，４３ｂと一対の係合孔４４ａ，４４ｂとを有している。連通孔４３ａ，４３ｂは、舌片２９の第２の挿通孔３０ａ，３０ｂに合致するとともに、係合孔４４ａ，４４ｂは、舌片２９の係合突起３１ａ，３１ｂに合致するようになっている。
【００３１】
図１０に示すように、他方のブラケット３６は、右側のスピーカホルダ２６の舌片２９の裏面に重なるようにステー３４の第２の端部３７ｂに一体に形成されている。ブラケット３６は、一つの連通孔４５と一対の係合孔４６ａ，４６ｂとを有している。連通孔４５は、舌片２９の第２の連通孔３０ｂに合致するとともに、係合孔４６ａ，４６ｂは、舌片２９の係合突起３１ａ，３１ｂに合致するようになっている。
【００３２】
図３および図６に示すように、左スピーカ２１を保持するスピーカホルダ２６は、一本の第１のねじ４７を介してステー３４の第１の端部３７ａに固定されている。第１のねじ４７は、スピーカホルダ２６の第１の挿通孔２８を貫通してねじ孔３９にねじ込まれている。このねじ込みにより、スピーカホルダ２６がステー３４の支持面３８に押し付けられるとともに、スピーカホルダ２６の係合突起３１ａ，３１ｂが第１のねじ４７から離れた位置でブラケット３５の係合孔４４ａ，４４ｂに嵌まり込んでいる。
【００３３】
このため、スピーカホルダ２６は、左スピーカ２１を間に挟んだ複数個所でステー３４に保持されており、このステー３４に対するスピーカホルダ２６の位置決めがなされている。
【００３４】
図４および図７に示すように、右スピーカ２２を保持するスピーカホルダ２６は、一本の第１のねじ４８を介してステー３４の第２の端部３７ｂに固定されている。第１のねじ４８は、スピーカホルダ２６の第１の挿通孔２８を貫通してねじ孔４１にねじ込まれている。このねじ込みにより、スピーカホルダ２６がステー３４の支持面４０に押し付けられるとともに、スピーカホルダ２６の係合突起３１ａ，３１ｂが第１のねじ４８から離れた位置でブラケット３５の係合孔４６ａ，４６ｂに嵌まり込んでいる。
【００３５】
このため、スピーカホルダ２６は、右スピーカ２２を間に挟んだ複数個所でステー３４に保持されており、このステー３４に対するスピーカホルダ２６の位置決めがなされている。
【００３６】
このことから、左右のスピーカ２１，２２は、フレーム３３を介して一つのスピーカアッセンブリとして組み立てられている。
【００３７】
図５ないし図７に示すように、第２の筐体８のスピーカ収容部２０は、一対のボス部５０，５１を有している。ボス部５０，５１は、ディスプレイカバー１０の内面からディスプレイマスク１１に向けて突出するとともに、夫々ねじ孔５０ａ，５１ａを有している。
【００３８】
一方のボス部５０は、左スピーカ２１を保持する左側のスピーカホルダ２６を支えるためのものであり、スピーカ収容部２０の左端部に位置している。左側のスピーカホルダ２６の舌片２９は、ボス部５０の先端面に一本の第２のねじ５２を介して固定されている。第２のねじ５２は、舌片２９の第２の挿通孔３０ａおよび一方のブラケット３５の連通孔４３ａを貫通してボス部５０のねじ孔５０ａにねじ込まれている。したがって、フレーム３１の一方のブラケット３５は、左側のスピーカホルダ２６と一緒にボス部５０に固定されている。
【００３９】
本実施の形態では、ボス部５０は突起５３を有している。突起５３は、舌片２９の第２の挿通孔３０ｂに嵌合し、この嵌合により、舌片２９の第２の挿通孔３０ａとボス部５０のねじ孔５０ａとの位置合わせがなされている。
【００４０】
他方のボス部５１は、右スピーカ２２を保持する右側のスピーカホルダ２６を支えるためのものであり、スピーカ収容部２０の右端部に位置している。右側のスピーカホルダ２６の舌片２９は、ボス部５１の先端面に一本の第２のねじ５４を介して固定されている。第２のねじ５４は、舌片２９の第２の挿通孔３０ｂおよび他方のブラケット３６の連通孔４５を貫通してボス部５１のねじ孔５１ａにねじ込まれている。したがって、フレーム３１の他方のブラケット３６は、右側のスピーカホルダ２６と一緒にボス部５１に固定されている。
【００４１】
このことから、一つのスピーカアッセンブリとして組み立てられた左右のスピーカ２１，２２は、ディスプレイカバー１０の一対のボス部５０，５１に第２のねじ５２，５４を介して固定されている。左右のスピーカ２１，２２をディスプレイカバー１０に固定した状態では、フレーム３３のステー３４は、液晶表示パネル９の下方に位置するとともに、ディスプレイカバー１０の内面およびディスプレイマスク１１の内面から離れている。
【００４２】
図２に示すように、第２の筐体８のスピーカ収容部２０は、回路モジュールの一例であるＦ／Ｌインバータ５５を収容している。Ｆ／Ｌインバータ５５は、液晶表示パネル９のバックライトを制御するためのものであり、液晶表示パネル９に電気的に接続されたプリント回路板５６を備えている。
【００４３】
プリント回路板５６は、第２の筐体８の幅方向に延びる細長い形状を有し、左右のスピーカ２１，２２の間においてディスプレイカバー１０の内面にねじ止めされている。そのため、プリント回路板５６は、左右のスピーカ２１，２２、液晶表示パネル９の下縁部およびフレーム３３のステー３４によって囲まれた長方形状の領域に収められている。
【００４４】
図１に示すように、ディスプレイマスク１１は、左右のスピーカ２１，２２を含むスピーカアッセンブリおよびＦ／Ｌインバータ５５を覆い隠している。このディスプレイマスク１１は、左右のスピーカ２１，２２に対応する位置に夫々複数の放音用の孔５７を有している。
【００４５】
本実施の形態のポータブルコンピュータ１は、左右のスピーカ２１，２２の換わりに高品質のボックススピーカシステム６０を搭載し得るようになっている。図  および図  に示すように、ボックススピーカシステム６０は、キャビネット６１と、このキャビネット６１に収容された一対のステレオスピーカ６２，６３とを備えている。
【００４６】
キャビネット６１は、第２の筐体８の幅方向に延びる細長い箱状をなすとともに、一対の舌片６５ａ，６５ｂを有している。一方の舌片６５ａは、キャビネット６１の左端部から側方に突出するとともに、上記ボス部５０に第２のねじ５２を介して固定されている。他方の舌片６５ｂは、キャビネット６１の右端部から側方に突出するとともに、上記ボス部５１に第２のねじ５４を介して固定されている。
【００４７】
このため、ボックススピーカシステム６０は、Ｆ／Ｌインバータ５５をディスプレイマスク１１の方向から覆った姿勢でスピーカ収容部２０に収容されており、そのキャビネット６１の左端部および右端部がディスプレイカバー１０の内面に近接している。
【００４８】
このような構成のポータブルコンピュータ１によると、左右のスピーカ２１，２２は、フレーム３３により互いに連結されて一つのスピーカアッセンブリとして組み立てられている。このため、左右のスピーカ２１，２２を第２の筐体８のスピーカ収容部２０に一緒に組み込むことができる。
【００４９】
具体的には、まず、左スピーカ２１を保持する左側のスピーカホルダ２６の舌片２９をボス部５０の上に載置するとともに、右スピーカ２２を保持する右側のスピーカホルダ２６の舌片２９をボス部５１の上に載置する。
【００５０】
次に、第２のねじ５２を左側の舌片２９の第２の挿通孔３０ａからボス部５０のねじ孔５０ａにねじ込み、左側のスピーカホルダ２６をボス部５０に固定する。同様に、第２のねじ５４を右側の舌片２９の第２の挿通孔３０ｂからボス部５１のねじ孔５１ａにねじ込み、右側のスピーカホルダ２６をボス部５１に固定する。
【００５１】
これにより、左右のスピーカ２１，２２がディスプレイカバー１０の定位置に固定され、スピーカ収容部２０に対する左右のスピーカ２１，２２の組み込み作業が完了する。
【００５２】
したがって、左右のスピーカ２１，２２をスピーカ収容部２０に簡単に組み込むことができ、ポータブルコンピュータ１の組み立て時の作業性が向上する。
【００５３】
しかも、左右のスピーカ２１，２２をフレーム３３で連結したことにより、左スピーカ２１を固定するボス部５０が一つで済むとともに、右スピーカ２２を固定するボス部５１が一つで済む。このため、従来のように一つのスピーカの周囲に複数のボス部が点在することはなく、スピーカ収容部２０に臨むディスプレイカバー１０の内面を極力フラットに形成することができる。
【００５４】
したがって、スピーカ収容部２０のスペースが広がり、大きさの限られたスピーカ収容部２０を有効に活用することができる。
【００５５】
特に本実施形態のポータブルコンピュータ１は、左右のスピーカ２１，２２の換わりにボックススピーカシステム６０を搭載可能となっている。そのため、スピーカ収容部２０に臨むディスプレイカバー１０の内面がフラットであれば、ボックススピーカシステム６０のキャビネット６１にボス部を逃げる凹みを設ける必要はないとともに、キャビネット６１をディスプレイカバー１０の内面に沿うような形状に形成することができる。
【００５６】
この結果、キャビネット６１の容量を十分に確保することができ、高品質なサウンドを再現することができる。
【００５７】
それとともに、一つのディスプレイカバー１０を、左右のスピーカ２１，２２を固定する場合とボックススピーカシステム６０を固定する場合の双方で共通して使い分けることができる。このため、ボックススピーカシステム６０に対応する専用のディスプレイカバーを準備する必要はなく、その分、部品の共通化を図ってコストの低減に寄与する利点がある。
【００５８】
加えて、上記構成によると、左右のスピーカホルダ２６の間に跨るフレーム３３は十分な強度を持つ金属製となっている。このため、スピーカ２１，２２の振動を受けるスピーカホルダ２６を強固に固定できるとともに、フレーム３３そのものが共振し難くなる。よって、フレーム３３から異音が生じることもなく、スピーカ２１，２２の音質を良好に維持できる。
【００５９】
さらに、金属製のフレーム３３は、ヒンジ装置１４の間において第２の筐体８の幅方向に延びており、このフレーム３３の第１および第２の端部３７ａ，３７ｂがヒンジ装置１４の第２のブラケット１６の近傍でディスプレイカバー１０に固定されている。言い換えると、フレーム３３は、左右の第２のブラケット１６とディスプレイカバー１０との連結部分を互いに結ぶように配置されており、第２のブラケット１６とディスプレイカバー１０との連結部分を補強している。
【００６０】
したがって、表示ユニット３を閉じ位置と開き位置との間で回動させた時に、合成樹脂製のディスプレイカバー１０のうち第２のブラケット１６との連結部分に生じる応力をフレーム３３で受け止めることができる。この結果、ディスプレイカバー１０の変形を防止できるとともに、表示ユニット３の開閉操作を滑らかに行うことができる。
【００６１】
なお、本発明は上記実施の形態に特定されるものではなく、発明の主旨を逸脱しない範囲内で種々変形して実施可能である。
【００６２】
例えば上記実施の形態では、スピーカを表示ユニットの第２の筐体に収容したが、本発明はこれに限らず、スピーカを機器本体の第１の筐体に収容してもよい。
【００６３】
さらに、左右のスピーカホルダの間を連結するフレームは、金属製に限らず、樹脂製であってもよい。
【図面の簡単な説明】
【００６４】
【図１】本発明の実施の形態に係るポータブルコンピュータの斜視図。
【図２】本発明の実施の形態において、左右のスピーカおよびＦ／Ｌインバータをスピーカ収容部に組み込んだ状態を示す表示ユニットの正面図。
【図３】本発明の実施の形態において、左スピーカ、液晶表示パネル、Ｆ／Ｌインバータおよび左側のヒンジ装置の位置関係を示す表示ユニットの正面図。
【図４】本発明の実施の形態において、右スピーカ、液晶表示パネル、Ｆ／Ｌインバータおよび右側のヒンジ装置の位置関係を示す表示ユニットの正面図。
【図５】本発明の実施の形態において、左右のスピーカを有するスピーカアッセンブリをディスプレイカバーに固定した状態を示す断面図。
【図６】本発明の実施の形態において、ディスプイレイカバーのボス部と左スピーカを保持するスピーカホルダとの位置関係を示す表示ユニットの正面図。
【図７】本発明の実施の形態において、ディスプイレイカバーのボス部と右スピーカを保持するスピーカホルダとの位置関係を示す表示ユニットの正面図。
【図８】本発明の実施の形態において、左スピーカを保持するスピーカホルダとフレームの第１の端部との位置関係を示す平面図。
【図９】本発明の実施の形態において、左スピーカを保持するスピーカホルダをフレームの第１の端部に重ね合わせた状態を示す平面図。
【図１０】本発明の実施の形態において、右スピーカを保持するスピーカホルダとフレームの第２の端部との位置関係を示す平面図。
【図１１】本発明の実施の形態において、ボックススピーカシステムをスピーカ収容部に組み込んだ状態を示す表示ユニットの正面図。
【図１２】本発明の実施の形態において、ボックススピーカシステムをディスプレイカバーに固定した状態を示す断面図。
【符号の説明】
【００６５】
２…機器本体、３…表示ユニット、８…筐体（第２の筐体）、１０…支持壁（ディスプレイカバー）、２１，２２…スピーカ、２６…スピーカホルダ、３３…フレーム、５０，５１…ボス部。
【図１】
2006332960.tif 000003
【図２】
2006332960.tif 000004
【図３】
2006332960.tif 000005
【図４】
2006332960.tif 000006
【図５】
2006332960.tif 000007
【図６】
2006332960.tif 000008
【図７】
2006332960.tif 000009
【図８】
2006332960.tif 000010
【図９】
2006332960.tif 000011
【図１０】
2006332960.tif 000012
【図１１】
2006332960.tif 000013
【図１２】
2006332960.tif 000014